(57)【要約】【課題】　巻上機を昇降路内に設置し駆動綱車の側面を昇降路壁面に対面して配置した構成であって防振作用が容易に得られるエレベーター装置を得る。【解決手段】　巻上機１０を水平投影面において昇降路１壁面とかごの間に配置し、駆動綱車１１を昇降路１壁面と対面して配置する。そして、昇降路１の固定体６に固定された取付体８と、巻上機１０との対向面における上部及び下部との間にそれぞれ防振体１３を設けて、巻上機１０を取付体８に支持する。　これにより、巻上機１０の所要の防振作用を容易に得ることができ、また巻上機１０に作用するトルクを防振体１３の水平方向の剛性によって支持する。これによって、巻上機１０を取付体８に不具合なく装着でき、昇降路１が設置された建物におけるエレベーター運転時の騒音、振動が減少して環境を静穏化する。【選択図】　　　　図２
2004010359.tif 000002
【特許請求の範囲】
【請求項１】
　昇降路内に配置された巻上機と、ハウジングに収納されて上記巻上機の要部を構成し、側面を上記昇降路壁面に対面して配置された駆動綱車と、上記ハウジング位置に対応して配置されて上記昇降路内の固定体に装着された取付体と、一側が上記取付体に支持されて他側は上記ハウジングにおける上記駆動綱車のリム外周面に対向する位置に配置され、上記ハウジングの上部及び下部にそれぞれ設けられて上記駆動綱車に作用する上向き荷重によって圧縮される防振体とを備えたエレベーター装置。
【請求項２】
　防振体を、巻上機のハウジングにおける上部及び下部の両端部にそれぞれに設けられた四個からなるものとしたことを特徴とする請求項１記載のエレベーター装置。
【請求項３】
　取付体を、ロ字状をなす枠体によって構成し、防振体が枠体内の四隅に設けられたものとしたことを特徴とする請求項１記載のエレベーター装置。
【請求項４】
　取付体を、昇降路の底面に配置された緩衝器台から立設された固定体の上部に装着されたものとしたことを特徴とする請求項１記載のエレベーター装置。
【請求項５】
　取付体を、昇降路の底部から立設された固定体の上部に装着されたものとしたことを特徴とする請求項１記載のエレベーター装置。
【請求項６】
　昇降路の底部から立設された固定体に設けられて昇降路壁面に装着された取付金具を備えたことを特徴とする請求項１、請求項４及び請求項５のいずれか一つに記載のエレベーター装置。
【発明の詳細な説明】
【技術分野】
【０００１】
　この発明は、巻上機が昇降路内に設置され、巻上機に巻掛けられた主索を介してかごが昇降運転されるエレベーター装置に関する。
【背景技術】
【０００２】
　従来のエレベーター装置において、機械室に設置された機械台の上に防振ゴムからなる防振体を設けて、防振体の上に巻上機を載置して防振支持し巻上機に発生する振動、騒音の伝播を防ぐ構成が一般的である。
【特許文献１】特許第２７７７３４０号公報
【特許文献２】特許第２８７７７４５号公報
【特許文献３】特開２０００−１１８９１２号公報
【特許文献４】実開昭５７−１４８４７９号公報
【発明の開示】
【発明が解決しようとする課題】
【０００３】
　上記のような構成による従来のエレベーター装置における巻上機の設置は、次に述べるように配置される巻上機については防振体による所要の防振作用が得られなくなるという問題点があった。すなわち、駆動綱車の側面がエレベーターの昇降路壁面に対面して配置され、水平投影面において巻上機が昇降路内の昇降路壁面とかごの間に設置される場合には、前述の構成による防振体の配置が適用できなくなって防振作用が不十分となる。
【０００４】
　この発明は、かかる問題点を解消するためになされたものであり、巻上機が昇降路内に設置され駆動綱車の側面を昇降路壁面に対面して配置した構成であって所要の防振作用が容易に得られるエレベーター装置を得ることを目的とする。
【課題を解決するための手段】
【０００５】
　この発明に係るエレベーター装置においては、昇降路内に配置された巻上機と
、ハウジングに収納されて巻上機の要部を構成し、側面を昇降路壁面に対面して配置された駆動綱車と、ハウジング位置に対応して配置されて昇降路内の固定体に装着された取付体と、一側が取付体に支持されて他側はハウジングにおける駆動綱車のリム外周面に対向する位置に配置され、ハウジングの上部及び下部にそれぞれ設けられて駆動綱車に作用する上向き荷重によって圧縮される防振体とが設けられる。
【０００６】
　また、この発明に係るエレベーター装置においては、巻上機のハウジングにおける上部及び下部の両端部にそれぞれに設けられた四個からなる防振体が設けられる。
【０００７】
　また、この発明に係るエレベーター装置においては、ロ字状をなす枠体によって構成されて、枠体内の四隅に防振体を装着した取付体が設けられる。
【０００８】
　また、この発明に係るエレベーター装置においては、昇降路の底面に配置された緩衝器台から立設された固定体の上部に取付体が装着される。
【０００９】
　また、この発明に係るエレベーター装置においては、昇降路の底部から立設された固定体の上部に装着された取付体が設けられる。
【００１０】
　また、この発明に係るエレベーター装置においては、昇降路の底部から立設された固定体に設けられて、昇降路壁面に装着された取付金具が設けられる。
【発明の効果】
【００１１】
　この発明は以上説明したように、昇降路内に配置された巻上機と、ハウジングに収納されて巻上機の要部を構成し、側面を昇降路壁面に対面して配置された駆動綱車と、ハウジング位置に対応して配置されて昇降路内の固定体に装着された取付体と、一側が取付体に支持されて他側はハウジングにおける駆動綱車のリム外周面に対向する位置に配置され、ハウジングの上部及び下部にそれぞれ設けられて駆動綱車に作用する上向き荷重によって圧縮される防振体とを設けたものである。
【００１２】
　これによって、巻上機が水平投影面において昇降路壁面とかごの間に配置され
、駆動綱車が昇降路壁面と対面して配置される。そして、巻上機の取付体との対向面における上部及び下部にそれぞれ設けられた防振体によって巻上機が昇降路の固定体に支持される。そして、防振体による巻上機の防振作用が得られ、また巻上機に作用するトルクが防振体の水平方向の剛性によって支持される。したがって、巻上機が取付体に不具合なく支持されると共に、防振体による所要の防振作用が容易に得られて、昇降路が設置された建物におけるエレベーター運転時の騒音、振動が少なくなり環境を静穏化する効果がある。
【００１３】
　また、この発明は以上説明したように、巻上機のハウジングにおける上部及び下部の両端部にそれぞれに設けられた四個の防振体を設けたものである。
【００１４】
　これによって、防振体を小形化することができ巻上機設置の所要スペースを少なくすることができ、昇降路の形成に要するスペースが減少してエレベーター装置の設置費を節減する効果がある。
【００１５】
　また、この発明は以上説明したように、ロ字状をなす枠体によって構成されて
、枠体内の四隅に防振体を装着した取付体を設けたものである。
【００１６】
　これによって、最小の部材によって構成された取付体によって巻上機に作用する荷重を支持できる。したがって、巻上機設置の所要スペースを少なくすることができ、昇降路の形成に要するスペースが減少してエレベーター装置の設置費を節減する効果がある。
【００１７】
　また、この発明は以上説明したように、昇降路の底面に配置された緩衝器台から立設された固定体の上部に取付体を装着したものである。
【００１８】
　これによって、巻上機に作用する上向き荷重が緩衝器台に伝達されるものの、緩衝器台から立設されたつり合おもり用レールに設けられて、主索が巻掛けられたつり合おもり側の滑車を介してつり合おもり用レールに作用する荷重によって
、緩衝器台における上向き荷重が相殺される。したがって、取付体を昇降路壁に支持する特別な部材を要することなしに取付体を設置することができる。このため、取付体を容易に昇降路に設置することができ、取付体の製作費及び据付費を低減する効果がある。
【００１９】
　また、この発明に係るエレベーター装置においては、昇降路の底部から立設された固定体の上部に装着された取付体を設けたものである。
【００２０】
　これによって、エレベーターの速度に対応して設定される昇降路のピット深さの差異に対して、固定体の高さ寸法をピット深さに対応して製作する。そして、予め準備された一定高さ寸法の取付体と、ピット深さに対応した高さ寸法の固定体を組み合わせて巻上機を据付けることによって、容易に昇降路ピット深さの差異に対応でき製作費を低減する効果がある。
【００２１】
　また、この発明は以上説明したように、昇降路の底部から立設された固定体に設けられて、昇降路壁面に装着された取付金具を設けたものである。
【００２２】
　これによって、据付作業時に巻上機を揚重用のウインチとして使用し、エレベーター装置の器材を揚重する場合には、取付金具のみによって揚重負荷に対応することができる。したがって、据付作業の能率を向上し据付費を節減する効果がある。
【発明を実施するための最良の形態】
【００２３】
実施の形態１．
　図１〜図３は、この発明の実施の形態の一例を示す図で、図１は昇降路の横断平面図、図２は図１の矢印Ａ側の側面図、図３は図２の左側面図である。図において、１はエレベーターの昇降路、２は昇降路１に互いに離れて立設されたかご用レール、３はかご用レール２の相互間に配置されたかご、４は昇降路１に互いに離れて立設されたつり合おもり用レールである。
【００２４】
　５は緩衝器台で、つり合おもり用レール４の相互間に配置されたつり合おもり（図示しない）に対応して昇降路１底面に設けられている。６は緩衝器台５から立設された二本の柱体からなる固定体で、上端側が取付金具７によって二本の柱体が相互に連結されると共に昇降路１壁に締結されている。
【００２５】
　８は固定体６の上端に締結されて連結された取付体で、鋼材がロ字状に組立てられた枠体によって構成され、上部及び下部の両端部にそれぞれ支持部９が設けられている。１０は巻上機で、ハウジングに収納されて側面を取付体８の前面に対面して配置された駆動綱車１１及びハウジングに設けられて取付体８の支持部９にそれぞれ対応すると共に支持部９の下側に配置された取付部１２が形成されている。
【００２６】
　１３は取付体８の支持部９と巻上機１０の取付部１２の間にそれぞれ介装された防振ゴムからなる防振体、１４は駆動綱車１１に巻掛けられた主索で、図示が省略してあるが一端は昇降路１頂部に枢着された滑車に巻掛けられてかご３に連結され、他端は昇降路１頂部に枢着された他の滑車に巻掛けられてつり合おもりに連結されている。
【００２７】
　上記のように構成されたエレベーター装置において、巻上機１０が水平投影面において昇降路１壁面とかご３の間に配置され、駆動綱車１１の側面が昇降路１壁面と対面して配置される。そして、巻上機１０の取付体８との対向面における四隅に設けられた取付部１２の上に配置された防振体１３によって、巻上機１０が取付体８を介して昇降路１に支持される。
【００２８】
　このような構成によって、巻上機１０が防振体１３によって昇降路１に防振支持され、巻上機１０に作用する上向き荷重によって防振体１３が圧縮されて防振作用が得られる。また、巻上機１０に作用するトルクが防振体１３の水平方向の剛性によって支持される。したがって、巻上機１０が取付体８に不具合なく支持されると共に、防振体１３による巻上機１０に関わる所要の防振作用が容易に得られる。これによって、昇降路１が設置された建物におけるエレベーター運転時の騒音、振動が少なくなり環境を静穏化することができる。
【００２９】
　また、図１〜図３の実施の形態において、巻上機１０のハウジングにおける上部及び下部の両端部にそれぞれに設けられた四個の防振体１３が配置される。このため、防振体１３を小形化することができ巻上機１０設置の所要スペースを少なくすることができる。したがって、昇降路１の形成に要するスペースが減少してエレベーター装置の設置費を節減することができる。
【００３０】
　また、図１〜図３の実施の形態において、取付体８がロ字状をなす枠体によって構成されて、防振体１３が取付体８の枠内の四隅に設けられる。このため、巻上機１０に作用する荷重を、最小の部材によって構成された取付体８によって支持できる。したがって、巻上機１０設置の所要スペースを少なくすることができ
、昇降路１の形成に要するスペースが減少してエレベーター装置の設置費を節減することができる。
【００３１】
　また、図１〜図３の実施の形態において、緩衝器台５から立設され固定体６に取付体８が装着される。また、上部によってつり合おもり側の滑車を支持したつり合おもり用レール４の下端に緩衝器台５が連結される。このため、巻上機１０に作用する上向き荷重が緩衝器台５に伝達されるものの、緩衝器台５から立設されたつり合おもり用レール４に設けられて、主索１４が巻掛けられたつり合おもり側の滑車を介してつり合おもり用レール４に作用する荷重によって、緩衝器台５における上向き荷重が相殺される。
【００３２】
　したがって、取付体８を昇降路１壁に支持する特別な部材を要することなしに取付体８を設置することができる。これにより、取付体８を容易に昇降路１に設置することができ、取付体８の製作費及び据付費を低減することができる。
【００３３】
　また、図１〜図３の実施の形態において、固定体６に取付金具７が設けられて固定体６が取付金具７を介して昇降路１壁に締結されている。このため、据付作業時に巻上機１０を揚重用のウインチとして使用してエレベーター装置の器材を揚重する場合には、取付金具７のみによって揚重負荷を支持することができる。したがって、据付作業の能率を向上し据付費を節減することができる。
【００３４】
　また、図１〜図３の実施の形態において、固定体６に取付金具７が設けられて固定体６が取付金具７を介して昇降路１壁に締結されている。このため、二本の柱体からなる固定体６の横揺れを防止でき、固定体６の構成を簡易化でき製作費を低減することができる。
【００３５】
　また、図１〜図３の実施の形態において、緩衝器台５から立設された固定体６の上に取付体８が連結される。このような構成に対して、エレベーターの速度に対応して設定される昇降路１のピット深さの差異に対して、ピット深さに対応した高さに固定体６の高さ寸法を製作する。そして、予め準備された一定の取付体８と、ピット深さに対応した固定体６を組み合わせて巻上機１０を据付ける。これによって、製作費を低減することができる。
【図面の簡単な説明】
【００３６】
【図１】この発明の実施の形態１を示す昇降路の横断平面図。
【図２】図１の矢印Ａ側の側面図。
【図３】図２の左側面図。
【符号の説明】
【００３７】
　１　昇降路、５　緩衝器台、６　固定体、７　取付金具、８　取付体、１０巻上機、１１　駆動綱車、１３　防振体。
【図１】
2004010359.tif 000003
【図２】
2004010359.tif 000004
【図３】
2004010359.tif 000005